(57)【特許請求の範囲】
【請求項１】
ポール本体部と、このポール本体部の上端に設けたグリップ部と、このグリップ部に設けたストラップ部と、前記ポール本体部の下端に設けた緩衝石突部とを備えるウォーキングポールにおいて、使用者が手で握るグリップ本体部，及びこのグリップ本体部の上端から起立し、後方へ３０〜４０〔゜〕の角度範囲で傾斜させた後面部を少なくとも設けることにより、手を後方に振るウォーキング時に、当該手に当接して前記ポール本体部の位置が腕に対して一直線上に配されるように規制する規制体部を一体に有するグリップ部と、このグリップ部に設けたラッチ機構部と、このラッチ機構部に対して着脱する前記ストラップ部に設けたストライカと、このストライカと前記ストラップ部を連結する連結部と、この連結部の長さを変更可能な連結長さ調整部と、前記ストラップ部を装着した使用者の手に当該ストラップ部を固定可能な締付バンド部とを備えてなることを特徴とするウォーキングポール。
【請求項２】
前記ラッチ機構部は、前記ストライカの装着時の状態をロックするロック機構部と、操作により前記ロック機構部のロックを解除するロック解除操作部とを備えることを特徴とする請求項１記載のウォーキングポール。
【請求項３】
前記連結部は、前記ストライカを支持する所定長さのベルト部を用いるとともに、前記連結長さ調整部は、前記ベルト部の長さを変更可能なバックルを用いることを特徴とする請求項１又は２記載のウォーキングポール。
【請求項４】
前記緩衝石突部は、前記ポール本体部の下端に装着して固定するポール固定部と、このポール固定部の下端に一体となり、かつ底面が湾曲面となる円盤状に形成した石突本体部とを、ゴム素材により一体形成してなることを請求項１記載のウォーキングポール。
【発明の詳細な説明】
【技術分野】
【０００１】
本発明は、運動効果、更には使用感をより高めることができるノルディックウォーキング等に用いて好適なウォーキングポールに関する。
【背景技術】
【０００２】
一般に、健康維持を目的としたウォーキングは老若男女を問わず広く行われているが、近時、ポールを手で持ってウォーキングを行うノルディックウォーキングも普及している。ノルディックウォーキングは、クロスカントリーの選手が夏場のトレーニングとして取り入れていたものであるが、ポールを手で持ってウォーキングを行うため、運動強度を高め、肩甲骨の強化を図れるとともに、肩鎖関節の可動域の広がりにより、肩凝り防止，血行促進及び脳の活性化などにも効果があるなど、より効果的な腕振り運動を行うことができることから一般的にも広く普及するに至っており、このようなノルディックウォーキングに専用のウォーキングポールも知られている。
【０００３】
従来、この種のウォーキングポールとしては、特許文献１に開示されるウォーキングポール及び特許文献２に開示されるウォーキングポールが知られている。前者のウォーキングポールは、正しい歩行姿勢を保持し、手首に負担をかけることなく、従来と同様の運動効果を得ることのできるウォーキングポールの提供を目的としたものであり、具体的には、シャフトと、シャフトの上端部に装着されたグリップと、グリップの側方に設けられたストラップと、を備え、ストラップを、グリップの下部と上部との間に架け渡されるように取り付けて構成したものである。また、後者のウォーキングポールは、使用する人が年配者であってもグリップ部からストラップ部を容易に離脱又は装着可能にするとともに、ストラップ部を離脱したウォーキングポールを準備運動等における補助用具として効果的に利用できるなど、ウォーキングポールの機能性及び多様性、更には使い勝手及び利便性を高めることを目的としたものであり、具体的には、ポール本体部と、このポール本体部の上端に設けたグリップ部と、このグリップ部に設けたストラップ部と、ポール本体部の下端に設けた緩衝石突部とを備えてなるウォーキングポールを構成するに際して、グリップ部及びストラップ部に、ストラップ部をグリップ部に対して着脱可能にする着脱機構部を設けるとともに、グリップ部における上端部分の上面及び側面を連続曲面に形成したものである。
【先行技術文献】
【特許文献】
【０００４】
【特許文献１】再表２００７−１１４１６７号公報
【特許文献２】特開２０１５−０５１０３０号公報
【発明の概要】
【発明が解決しようとする課題】
【０００５】
しかし、上述した従来のウォーキングポールは、運動効果や使用感をより高める観点からは更なる改善すべき課題も残されていた。
【０００６】
即ち、ウォーキングポールのグリップ部やストラップ部のサイズや形状は、一般成人を基準に選定されるため、手の大きさの違いや握力の低下等が大きい年配者（高齢者）の場合、一般成人を基準としたサイズや形状では、マッチング性を確保する観点からは必ずしも十分とはいえないとともに、これ故に、運動効果や使用感も不十分となる。特に、高齢者の場合、些細な要因であっても歩行時の安定性などに影響し、転倒の原因となったり身体に無用な負担をかける原因にもなる。なお、グリップ部やストラップ部のサイズや形状を適切に選定し、年配者（高齢者）を対象にした専用のウォーキングポールを製作すれば、この課題は解決できるが、反面、一般成人にとっては使いにくくなるなど、相反する問題を生じる。
【０００７】
このように、従来のウォーキングポールは、若い人から高齢者までのあらゆる年齢層にマッチングさせる最適化を図れないため、汎用性を高める観点から難があるとともに、加えて、十分な使用感を確保し、使用中の安定性及び安全性，更には運動効果をより高める観点からも更なる改善の余地があった。
【０００８】
本発明は、このような背景技術に存在する課題を解決したウォーキングポールの提供を目的とするものである。
【課題を解決するための手段】
【０００９】
本発明に係るウォーキングポール１は、上述した課題を解決するため、ポール本体部２と、このポール本体部２の上端に設けたグリップ部３と、このグリップ部３に設けたストラップ部４と、ポール本体部２の下端に設けた緩衝石突部５とを備えるウォーキングポールを構成するに際して、使用者Ｈが手Ｈｈで握るグリップ本体部３ｇ，及びこのグリップ本体部３ｇの上端から起立し、後方へ３０〜４０〔゜〕の角度範囲で傾斜させた後面部３ｓｒを少なくとも設けることにより、手Ｈｈを後方に振るウォーキング時に、当該手Ｈｈに当接してポール本体部２の位置が腕に対して一直線上に配されるように規制する規制体部３ｓとを一体に有するグリップ部３と、グリップ部３に設けたラッチ機構部１１と、このラッチ機構部１１に対して着脱するストラップ部４に設けたストライカ１２と、このストライカ１２とストラップ部４を連結する連結部１３と、この連結部１３の長さを変更可能な連結長さ調整部１４と、ストラップ部４を装着した使用者Ｈの手Ｈｈに当該ストラップ部４を固定可能な締付バンド部１５とを備えてなることを特徴とする。
【００１０】
この場合、発明の好適な態様により、ラッチ機構部１１は、ストライカ１２の装着時の状態をロックするロック機構部１１ｒと、操作によりロック機構部１１ｒのロックを解除するロック解除操作部１１ｄとを備えて構成できる。一方、連結部１３は、ストライカ１２を支持する所定長さのベルト部１３ｍを用いるとともに、連結長さ調整部１４は、ベルト部１３ｍの長さを変更可能なバックル１４ｓを用いることができる。また、緩衝石突部５は、ポール本体部２の下端に装着して固定するポール固定部５ｃと、このポール固定部５ｃの下端に一体となり、かつ底面５ｄが湾曲面Ｆｒとなる円盤状に形成した石突本体部５ｍとを、ゴム素材により一体形成できる。
【発明の効果】
【００１１】
このような構成を有する本発明に係るウォーキングポール１によれば、次のような顕著な効果を奏する。
【００１２】
（１）  グリップ部３に設けたラッチ機構部１１と、このラッチ機構部１１に対して着脱するストラップ部４に設けたストライカ１２と、このストライカ１２とストラップ部４を連結する連結部１３と、この連結部１３の長さを変更可能な連結長さ調整部１４と、ストラップ部４を装着した使用者Ｈの手Ｈｈに当該ストラップ部４を固定可能な締付バンド部１５とを備えてなるため、使用者Ｈが年配者であっても、ウォーキングポール１を使用しないときは、グリップ部３からストラップ部４を容易に離脱できるとともに、使用するときは、グリップ部３に対してストラップ部４を容易に装着できるという基本的効果に加え、若い人から高齢者までのあらゆる年齢層にマッチングさせる最適化を容易に図れるため、汎用性を高めることができる。しかも、十分な使用感を確保できるとともに、使用中の安定性及び安全性，更には運動効果をより高めることができる。
【００１３】
（２）  グリップ部３を構成するに際し、使用者Ｈが手Ｈｈで握るグリップ本体部３ｇと、このグリップ本体部３ｇの上端から起立し、後方へ３０〜４０〔゜〕の角度範囲で傾斜させた後面部３ｓｒを少なくとも設けることにより、手Ｈｈを後方に振るウォーキング時に、当該手Ｈｈに当接してポール本体部２の位置が腕に対して一直線上に配されるように規制する規制体部３ｓとを一体に構成したため、手Ｈｈを後方に振るウォーキング時には、規制体部３ｓが手Ｈｈに当接してポール本体部２の位置を規制することができる。これにより、腕とウォーキングポール１が一直線上に位置することが最適とされるウォーキング条件に、容易かつ的確に近づけることができる。
【００１４】
（３）  好適な態様により、ラッチ機構部１１を構成するに際し、ストライカ１２の装着時の状態をロックするロック機構部１１ｒと、操作によりロック機構部１１ｒのロックを解除するロック解除操作部１１ｄとを設けて構成すれば、使用者Ｈは、グリップ部３に対してストラップ部４を任意に着脱することができる。即ち、スキーポール等では安全性を確保する観点から一定の力が作用したときに自動で離脱するものも知られているが、特に、ロック解除操作部１１ｄを設けることにより、使用者Ｈは任意に装着し、又はロック解除操作部１１ｄの操作により任意に離脱することができる。
【００１５】
（４）  好適な態様により、連結部１３を、ストライカ１２を支持する所定長さのベルト部１３ｍを用いて構成するとともに、連結長さ調整部１４を、ベルト部１３ｍの長さを変更可能なバックル１４ｓを用いて構成すれば、汎用的な材料及び部品で足りるため、容易かつ低コストに実施できるとともに、長さ調整に係わる調整操作を誰でも容易に行うことができる。
【００１６】
（５）  好適な態様により、緩衝石突部５を形成するに際し、ポール本体部２の下端に装着して固定するポール固定部５ｃと、このポール固定部５ｃの下端に一体となり、かつ底面５ｄが湾曲面Ｆｒとなる円盤状に形成した石突本体部５ｍとを、ゴム素材により一体形成すれば、ウォーキングポール１の緩衝石突部５を地面等に衝突させても、湾曲面Ｆｒにより衝突の緩衝作用が呈されるとともに、緩衝石突部５の底面５ｄは地面等に面接触するため、確実かつ安定した接地作用を得ることができる。
【図面の簡単な説明】
【００１７】
【図１】本発明の好適実施形態に係るウォーキングポールに備えるグリップ部とストラップ部を示す外観側面図、
【図２】同ウォーキングポールの全体を示す外観側面図、
【図３】同ウォーキングポールに備えるストラップ部の一部を含むグリップ部の断面側面図、
【図４】同ウォーキングポールに備えるグリップ部の平面図、
【図５】同ウォーキングポールに備えるストラップ部の平面図、
【図６】同ウォーキングポールに備える緩衝石突部の断面側面図、
【図７】同ウォーキングポールに備える緩衝石突部の底面図、
【図８】同ウォーキングポールに備えるラッチ機構部の機能説明図、
【図９】同ウォーキングポールの使用状態を示す外観斜視図、
【図１０】同ウォーキングポールに備える連結部の機能説明図、
【図１１】同ウォーキングポールに備えるグリップ部の規制体部及び緩衝石突部の作用説明図、
【発明を実施するための形態】
【００１８】
次に、本発明に係る好適実施形態を挙げ、図面に基づき詳細に説明する。
【００１９】
まず、本実施形態に係るウォーキングポール１の構成について、図１〜図１１を参照して説明する。
【００２０】
ウォーキングポール１は、図２に示すように、大別して、ポール本体部２と、このポール本体部２の上端に設けたグリップ部３と、このグリップ部３に設けるストラップ部４と、ポール本体部２の下端に設けた緩衝石突部５を備える。
【００２１】
ポール本体部２は、径の異なる複数のポール材、即ち、上側に位置し、かつ下端に伸縮ロック部２１を設けた上ポール材２ｕと、下側に位置し、かつ当該ポール材２ｕよりも径が小さい下ポール材２ｄを組合わせた伸縮ポール体として構成する。いずれのポール材２ｕ，２ｄも、軽量金属素材により丸パイプ状に形成し、伸縮ロック部２１の操作レバーをロック解除位置に操作することによりロックを解除し、上ポール材２ｕに対して下ポール材２ｄを挿入して短縮し又は引出して伸長する伸縮調整を行うことができるとともに、伸縮ロック部２１の操作レバーをロック位置に操作することにより、調整した伸縮位置をロックすることができる。
【００２２】
グリップ部３は、図１及び図３（図１１）に示すように、使用者Ｈが手Ｈｈで握るグリップ本体部３ｇと、このグリップ本体部３ｇの上端から起立した規制体部３ｓとを備え、このグリップ本体部３ｇ及び規制体部３ｓは合成樹脂や合成ゴム等の素材により一体に形成する。そして、グリップ本体部３ｇの下端面には、軸方向に沿ったポール装着穴２２を設け、このポール装着穴２２にポール本体部２（上ポール材２ｕ）の上端部を挿入してポール本体部２とグリップ本体部３ｇを一体化する。
【００２３】
また、規制体部３ｓは、少なくとも後面部３ｓｒを後方へ所定角度Ｒｒだけ傾斜させて形成する。この場合、所定角度Ｒｒは、ポール本体部２の軸線方向Ｄｃに対して傾いた角度であり、概ね０〜６０〔°〕、より望ましくは３０〜４０〔°〕の角度範囲から選定できる。これにより、図１１に示すように、手Ｈｈを後方に振るウォーキング時には、後面部３ｓｒが手Ｈｈに当接（係止）し、ポール本体部２の位置が規制される。
【００２４】
このように、グリップ部３を構成する際に、使用者Ｈが手Ｈｈで握るグリップ本体部３ｇと、このグリップ本体部３ｇの上端から起立し、少なくとも後面部３ｓｒを後方へ所定角度Ｒｒで傾斜させることにより、手Ｈｈを後方に振るウォーキング時に、当該手Ｈｈに当接してポール本体部２の位置を規制する規制体部３ｓとを一体に構成すれば、手Ｈｈを後方に振るウォーキング時には、規制体部３ｓが手Ｈｈに当接してポール本体部２の位置を規制するため、腕とウォーキングポール１が一直線上に位置することが最適とされるウォーキング条件に、容易かつ的確に近づけることができる利点がある。
【００２５】
一方、グリップ部３におけるグリップ本体部３ｇの上端付近には、ラッチ機構部１１を設ける。このラッチ機構部１１には、後述するストラップ部４に設けたストライカ１２が着脱する。このラッチ機構部１１は、ストライカ１２の装着時の状態をロックするロック機構部１１ｒと、操作によりロック機構部１１ｒのロックを解除するロック解除操作部１１ｄを備える。
【００２６】
ロック機構部１１ｒは、図３に示すように、ロック部材２５，規制ピン２６及びスプリング２７により構成する。ロック部材２５は、上側に位置する上体部２５ｕとこの上体部２５ｕの下端面から下方に延出したＬ形のロック片部２５ｄからなる。この場合、上体部２５ｕはロック解除操作部１１ｄを構成し、押ボタンＢｐを兼ねている。ロック片部２５ｄにおける水平片部の上面には、ノコギリ歯状の係止部２８を形成する。ロック部材２５は、規制体部３ｓの上端面から内部に形成した収容部２９に収容するとともに、グリップ部３に固定した規制ピン２６を上体部２５ｕに貫通させることにより、ロック部材２５の変位を規制する。このため、ロック部材２５の上体部２５ｕには、規制ピン２６の上下変位を所定範囲に規制する長孔部３１を形成する。
【００２７】
また、ロック部材２５とグリップ本体部３ｇ間には、圧縮したスプリング２７を介在させ、ロック片部２５ｄを上方に付勢する。この結果、非操作時におけるロック部材２５の上体部２５ｕ（押ボタンＢｐ）は、スプリング２７の弾性により上昇位置に位置する。したがって、非操作時における押ボタンＢｐの上面Ｂｐｕは、グリップ部３の上端部分、即ち、規制体部３ｓの上面３ｓｕに対して形状デザイン的に連続するように形成する。なお、３２は押ボタンＢｐを操作する際に、指を係止させる窪みであり、必要により滑り止めの凹凸等を形成できる（図４参照）。押ボタンＢｐの形態は例示であり、その他、グリップ部３を握ったままの手Ｈｈで操作可能にするなど、任意に実施可能である。
【００２８】
このように、ラッチ機構部１１を、ストライカ１２の装着時の状態をロックするロック機構部１１ｒと、操作によりロック機構部１１ｒのロックを解除するロック解除操作部１１ｄとを設けて構成すれば、使用者Ｈは、グリップ部３に対してストラップ部４を任意に着脱することができる。即ち、スキーポール等では安全性を確保する観点から一定の力が作用したときに自動で離脱するものも知られているが、特に、ロック解除操作部１１ｄを設けることにより、使用者Ｈは任意に装着し、又はロック解除操作部１１ｄの操作により任意に離脱できる利点がある。
【００２９】
さらに、グリップ本体部３ｇには、図８に示すように、後面から収容部２９に対して連通する水平な装着孔３３を設ける。また、ストラップ部４に設けるストライカ１２は、図５及び図８に示すように、当該装着孔３３に対して挿入可能な形状に一体形成する。ストライカ１２は、先端部１２ｓ，中間部１２ｍ及び後端部１２ｂを有し、中間部１２ｍの下面には、ノコギリ歯状の被係止部３４を形成する。この被係止部３４は上述した係止部２８に対して係止可能である。先端部１２ｓは所定の長さを確保し、装着孔３３に挿入する際のガイドとして機能するとともに、完全に挿入した際には装着時の安定性（剛性）を高める機能を有する。この場合、先端部１２ｓの前端には図５に示すように凹部１２ｃが形成されており、完全に挿入した際には、ロック部材２５のロック片部２５ｄが収容される。即ち、先端部１２ｓはロック片部２５ｄに対して両側に逃げる形状を有している。後端部１２ｂは連結孔部３５を有し、この連結孔部３５にストラップ部４側を連結することができる。
【００３０】
一方、ストラップ部４は、図３及び図５（図９）に示すように、使用者の手Ｈｈに装着可能であり、基本的には、使用者の手Ｈｈを挿入する後端開口部４１と、使用者の親指Ｈｈｐを前方へ突出させる第一開口部４２と、親指Ｈｈｐ以外の手の部分Ｈｈｅを前方へ突出させる第二開口部４３を有する。なお、例示のストラップ部４は右手用となる。さらに、ストラップ部４の後部には、ストラップ部４を装着した使用者Ｈの手Ｈｈに当該ストラップ部４を固定可能な締付バンド部１５を付設する。例示の締付バンド部１５は、バンド本体部１５ｍとバックル１５ｓにより構成する。具体的には、図５に示すように、バンド本体部１５ｍの一端１５ｍｆを、ストラップ部４の後部の上面の第一位置Ｘｆに固定するとともに、バンド本体部１５ｍの他端１５ｍｓ側をストラップ部４の後部の周方向に沿わせて配し、第一位置Ｘｆに対して近傍位置となる第二位置Ｘｓに設けたバックル１５ｓに係合させる。したがって、バンド本体部１５ｍは、ストラップ部４の一部を構成し、バックル１５ｓに係合するバンド本体部１５ｍの位置を変更することにより、後端開口部４１の開口面積を変更できる。
【００３１】
これにより、ストラップ部４に使用者Ｈの手Ｈｈを挿入したなら締付バンド部１５によりストラップ部４の手Ｈｈからの離脱を回避できる。具体的には、バックル１５ｓにバンド本体部１５ｍを挿通させた状態でバンド本体部１５ｍの他端（先端）１５ｍｓを引張り、適度に締め付けた後、折り返すとともに、二つ折り状態のバンド本体部１５ｍ…同士を重ね合わせればよい。このため、相対面するバンド本体部１５ｍの表面には、面ファスナ部１５ｃを付設する。この結果、バンド本体部１５ｍ…同士を重ね合わせた際には、バンド本体部１５ｍ同士が止着状態となる。即ち、締付バンド部１５は手首Ｈｈｎに固定されるため、使用者の手Ｈｈからのストラップ部４の離脱が回避される。
【００３２】
また、ストラップ部４と前述したストライカ１２は連結部１３により連結する。連結部１３は、ストライカ１２を支持する所定長さのベルト部１３ｍを備えるとともに、このベルト部１３ｍの中間位置に配してベルト部１３ｍの長さを変更可能なバックル１４ｓを備える。このバックル１４ｓは連結長さ調整部１４を構成する。具体的には、図３に示すように、ベルト部１３ｍの一端１３ｍｆを、ストラップ部４の下面に固定し、ベルト部１３ｍの他端１３ｍｓ側をストラップ部４の前方へ導出させる。他方、ストラップ部４の上面には、補助ベルト部４５の一端側を固定し、他端にバックル１４ｓを保持する。そして、図３に示すように、前方に導出させたベルト部１３ｍの他端（先端）１３ｍｓをストライカ１２の連結孔部３５に挿通させ、さらに、バックル１４ｓを通した後、ストラップ部４の後方に導く。また、ストラップ部４の上面であって後部位置には、図５に示すベルトリング部４６を取付ける。これにより、ストラップ部４の後方に導いたベルト部１３ｍの他端１３ｍｓ側を、当該ベルトリング部４６に挿通させた後、前方へ折り返すとともに、二つ折り状態のベルト部１３ｍ…同士を重ね合わせればよい。このため、相対面するベルト部１３ｍの表面には、面ファスナ部１３ｃを付設する。この結果、ベルト部１３ｍ…同士を重ね合わせた際には、ベルト部１３ｍ同士が止着状態となって固定される。
【００３３】
このように、連結部１３を、ストライカ１２を支持する所定長さのベルト部１３ｍを用いて構成するとともに、連結長さ調整部１４を、ベルト部１３ｍの長さを変更可能なバックル１４ｓを用いて構成すれば、汎用的な材料及び部品で足りるため、容易かつ低コストに実施できるとともに、長さ調整に係わる調整操作を誰でも容易に行うことができる利点がある。なお、図５及び図８に示す仮想線６１は、ベルト部１３ｍの位置ズレを防止するためのガイドリングを示している。このガイドリング６１は必要により設けることができ、必ずしも必要となるものではない。
【００３４】
他方、ポール本体部２（下ポール材２ｄ）の下端には緩衝石突部５を取付ける。緩衝石突部５は、図６及び図７に示すように、ポール本体部２の下端に装着して固定する装着孔部５ｃｉを有する筒形状となるポール固定部５ｃと、このポール固定部５ｃの下端に一体となり、かつ底面５ｄが湾曲面Ｆｒとなる円盤状に形成した石突本体部５ｍとを、ゴム素材により一体形成する。例示の場合、湾曲面Ｆｒには、滑り止めとなる三つのリング溝Ｆｒｓ…形成し、接地性をより高めている。また、実施形態では、下ポール材２ｄの下端に緩衝石突部５を取付けるに際し、プラスチック素材により形成した取付筒５１を用意する。そして、この取付筒５１を下ポール材２ｄの下端部周面に固定し、この取付筒５１の下端にポール固定部５ｃの装着孔部５ｃｉを装着する。これにより、下ポール材２ｄと緩衝石突部５は一体化される。
【００３５】
このように、緩衝石突部５を形成するに際し、ポール本体部２の下端に装着して固定するポール固定部５ｃと、このポール固定部５ｃの下端に一体となり、かつ底面５ｄが湾曲面Ｆｒとなる円盤状に形成した石突本体部５ｍとを、ゴム素材により一体形成すれば、ウォーキングポール１の緩衝石突部５を地面等に衝突させても、湾曲面Ｆｒにより衝突の緩衝作用が呈されるとともに、緩衝石突部５の底面５ｄは地面等に面接触するため、確実かつ安定した接地作用を得ることができる利点がある。
【００３６】
次に、本実施形態に係るウォーキングポール１の使用方法及び機能について、図１〜図１１を参照して説明する。
【００３７】
まず、非使用時、即ち、保管又は携帯する際には、ウォーキングポール１を最短長さに短縮することができる。この場合、伸縮ロック部１１の操作レバーを操作し、ロック解除位置に変位させる。これにより、上ポール材２ｕに対する下ポール材２ｄの位置のロックが解除されるため、上ポール材２ｕに下ポール材２ｄを押込むことにより最短長さに短縮できるとともに、伸縮ロック部１１の操作レバーをロック位置に変位させて戻せば、最短長さにロックすることができる。
【００３８】
一方、使用する際には、ウォーキングポール１を伸長させることによりウォーキングポール１の全体長さを使用者Ｈにマッチングした最適長さにセットすることができる。この場合、上述したように、伸縮ロック部１１の操作レバーを操作し、ロック解除位置に変位させることにより、上ポール材２ｕに対する下ポール材２ｄの位置のロックを解除する。そして、上ポール材２ｕから下ポール材２ｄを引き出し、最適長さとなる位置にセットするとともに、この後、伸縮ロック部１１の操作レバーをロック位置に変位させて戻せば、上ポール材２ｕに対する下ポール材２ｄの位置をロックすることができる。なお、図示を省略したが、下ポール材２ｄには目盛りを付してあり、上ポール材２ｕに対する下ポール材２ｄの相対的な位置（長さ）を目視により容易かつ的確に確認できる。
【００３９】
次いで、グリップ部３にストラップ部４を装着する。この場合、図１に示すように、グリップ部３の装着孔３３に対して、ストラップ部４側のストライカ１２を、白抜矢印Ｆｗ方向にそのまま差し込めばよい。これにより、ストライカ１２に形成したノコギリ歯状の被係止部３４は、スプリング２７により弾性支持されたロック部材２５を押し退けることにより最終位置まで進入し、図３に示すように、被係止部３４は、ロック部材２５に形成したノコギリ歯状の係止部２８に相係止する。この結果、ストラップ部４の抜けが阻止される。このように、ストラップ部４の装着は、いわばワンタッチ操作により極めて容易かつ迅速に行うことができる。
【００４０】
なお、グリップ部３からストラップ部４を離脱させる場合には、押ボタンＢｐを指で押せば、容易に離脱させることができる。即ち、図８に示すように、押ボタンＢｐを矢印Ｆｄ方向に押込み、ロック部材２５をスプリング２７の弾性に抗して下降させれば、係止部２８は被係止部３４から離間し、係止部２８と被係止部３４の係止が解除される。この結果、図８に示すように、ストラップ部４を矢印Ｆｐ方向へ引抜くことができる。このように、ストラップ部４の離脱も装着時と同様、極めて容易かつ迅速に行うことができる。
【００４１】
一方、使用者Ｈが使用する際には、図９に示すように、ストラップ部４を手Ｈｈに装着して固定する。この場合、面ファスナ部１５ｃによるバンド部１５ｂ同士の止着状態を解除することにより、後端開口部４１を広げた状態にする。そして、広がった後端開口部４１に、手Ｈｈを挿入し、親指Ｈｈｐを第一開口部４２に挿通させるとともに、親指Ｈｈｐ以外の手の部分Ｈｈｅを第二開口部４３に挿通させる。手Ｈｈを完全に挿通させれば、後端開口部４１は使用者の手首Ｈｈｎに位置するため、バックル１５ｓにバンド本体部１５ｍを挿通させた状態でバンド本体部１５ｍの他端（先端）１５ｍｓを引張り、適度に締め付けた後、折り返すとともに、二つ折り状態のバンド本体部１５ｍ…同士を重ね合わせる。これにより、バンド本体部１５ｍ…同士は面ファスナ部１５ｃにより止着状態となる。即ち、締付バンド部１５は手首Ｈｈｎに固定されるため、使用者の手Ｈｈからのストラップ部４の離脱が回避される。
【００４２】
また、使用者Ｈは、グリップ部３を握らない状態で、手Ｈｈとグリップ部３との距離が適切であるか否かを確認する。具体的には、手Ｈｈでグリップ部３を握る際に、円滑かつ迅速に握ることができる距離が確保されているか否かを確認する。この際、距離が短かすぎる場合或いは長すぎる場合は、連結部１３に備える連結長さ調整部１４により、手Ｈｈとグリップ部３間の距離を調整する。
【００４３】
この場合、手Ｈｈとグリップ部３間の距離を短くするには、図１０に示す面ファスナ部１３ｃを離脱状態にし、ベルト部１３ｍの他端（先端）１３ｍｓをバックル１４ｓから離間する方向に当該ベルト部１３ｍを操作すればよい。これにより、ベルト部１３ｍの全体の長さが短くなるように調整できるため、調整後は、再度、ベルト部１３ｍの他端１３ｍｓ側を、ベルトリング部４６から折り返すとともに、二つ折り状態のベルト部１３ｍ…同士を重ね合わせれば、面ファスナ部１３ｃ…により止着状態となる。この結果、手Ｈｈとグリップ部３間の距離を短くすることができる。図１０（ａ）は、手Ｈｈとグリップ部３間の距離を短くなるように調整し、ストライカ１２の先端がＰ１位置にある状態を示している。
【００４４】
これに対して、手Ｈｈとグリップ部３間の距離を長くするには、面ファスナ部１３ｃを離脱状態にし、ベルト部１３ｍの他端１３ｍｓをバックル１４ｓ側に接近する方向に当該ベルト部１３ｍを操作すればよい。これにより、ベルト部１３ｍの全体の長さが長くなるように調整できるため、調整後は、再度、ベルト部１３ｍの他端１３ｍｓ側を、ベルトリング部４６から折り返すとともに、二つ折り状態のベルト部１３ｍ…同士を重ね合わせれば、面ファスナ部１３ｃ…により止着状態となる。この結果、手Ｈｈとグリップ部３間の距離を長くすることができる。図１０（ｂ）は、手Ｈｈとグリップ部３間の距離を長くなるように調整し、ストライカ１２の先端がＰ２位置にある状態を示している。即ち、図１０（ｂ）は、図１０（ａ）に対して、手Ｈｈとグリップ部３間の距離を、距離Ｌｅだけ長くした状態を示している。
【００４５】
次に、ウォーキングポール１を用いたウォーキング方法について説明する。図１１は、使用者Ｈが本実施形態に係るウォーキングポール１を使用し、ノルディックウォーキングを行っている状態を示している。例示の場合、使用者Ｈの左手Ｈｈは、前方に振られた状態であって、ウォーキングポール１は、地面Ｇを突き、自身を前方へ押し出す状態を示している。また、使用者Ｈの右手Ｈｈは、後方に振られた状態であって、ウォーキングポール１も後方に振られ、負荷（応力）はかかっていない状態を示している。
【００４６】
この場合、左手Ｈｈのウォーキングポール１は、一点鎖線円Ｅ１で示す拡大断面図のように、緩衝石突部５が地面Ｇに衝突する際には、上からの荷重（負荷）及び湾曲面Ｆｒにより弾性変形し、衝突の緩衝作用が呈されるとともに、弾性変形した緩衝石突部５の底面５ｄが地面Ｇに面接触し、確実かつ安定した接地作用が得られる。
【００４７】
他方、右手Ｈｈのウォーキングポール１は、一点鎖線円Ｅ２で示す拡大図のように、手Ｈｈが後方に振られた際に、グリップ部３の規制体部３ｓが手Ｈｈに当接（係止）し、ポール本体部２の位置が規制される。即ち、一般に望ましいウォーキング条件として、ウォーキング中に手Ｈｈが後に振られた場合、腕とポール本体部２が一直線上に配されることが最適といわれている。したがって、本実施形態に係るウォーキングポール１を使用すれば、グリップ部３における規制体部３ｓの機能により、当該ウォーキング条件を容易かつ的確に満たすことができる。
【００４８】
このように、本実施形態に係るウォーキングポール１は、基本的構成として、ポール本体部２と、このポール本体部２の上端に設けたグリップ部３と、このグリップ部３に設けたストラップ部４と、ポール本体部２の下端に設けた緩衝石突部５とを備えるウォーキングポールを備えるとともに、特に、グリップ部３に設けたラッチ機構部１１と、このラッチ機構部１１に対して着脱するストラップ部４に設けたストライカ１２と、このストライカ１２とストラップ部４を連結する連結部１３と、この連結部１３の長さを変更可能な連結長さ調整部１４と、ストラップ部４を装着した使用者Ｈの手Ｈｈに当該ストラップ部４を固定可能な締付バンド部１５とを備えてなるため、使用者Ｈが年配者であっても、ウォーキングポール１を使用しないときは、グリップ部３からストラップ部４を容易に離脱できるとともに、使用するときは、グリップ部３に対してストラップ部４を容易に装着できるという基本的効果を得ることができるとともに、この基本的効果に加え、若い人から高齢者までのあらゆる年齢層にマッチングさせる最適化を容易に図れるため、汎用性を高めることができる。しかも、十分な使用感を確保できるとともに、使用中の安定性及び安全性，更には運動効果をより高めることができる。
【００４９】
以上、好適実施形態について詳細に説明したが、本発明は、このような実施形態に限定されるものではなく、細部の構成，形状，素材，数量，数値等において、本発明の要旨を逸脱しない範囲で、任意に変更，追加，削除することができる。
【００５０】
例えば、ラッチ機構部１１は、ストライカ１２の装着時の状態をロックするロック機構部１１ｒと、操作によりロック機構部１１ｒのロックを解除するロック解除操作部１１ｄとを備えて構成した場合を示したが、その他、無理な力が作用したときに自動的にロックが解除されて離脱するなど、他の機能が付加されてもよい。また、ロック解除操作部１１ｄとして、押ボタンＢｐを用いた場合を示したが、押ボタンＢｐの形状や配設位置等は、例示形態に限定されないとともに、操作によりロック機構部１１ｒのロックを解除する機能を有する構成であれば、各種形態のラッチ機構部１１を適用できる。さらに、連結部１３は、ストライカ１２を支持する所定長さのベルト部１３ｍと、このベルト部１３ｍの長さを変更可能なバックル１４ｓとを備えて構成した場合を示したが、ベルト部１３ｍの長さを変更可能な構成であれば、バックル１４ｓ以外の他の構成を排除するものではない。一方、グリップ部３の規制体部３ｓは、少なくとも後面部３ｓｒを後方へ３０〜４０〔゜〕の角度範囲で傾斜させれば足り、全体形状はデザイン性を考慮した各種形状により実施できる。また、ポール本体部２は、上ポール材２ｕと下ポール材２ｄの二本のポール材を組合わせた例を示したが、三本以上のポール材２ｕ…を組合わせてもよいし、一本のポール材により構成してもよい。
【産業上の利用可能性】
【００５１】
本発明に係るウォーキングポールは、ノルディックウォーキングをはじめ、各種用途におけるウォーキングポールとして利用できる。
【符号の説明】
【００５２】
１：ウォーキングポール，２：ポール本体部，３：グリップ部，３ｇ：グリップ本体部，３ｓ：規制体部，３ｓｒ：規制体部の後面部，４：ストラップ部，５：緩衝石突部，５ｃ：ポール固定部，５ｄ：底面，５ｍ：石突本体部，１１：ラッチ機構部，１１ｒ：ロック機構部，１１ｄ：ロック解除操作部，１２：ストライカ，１３：連結部，１３ｍ：ベルト部，１４：連結長さ調整部，１４ｓ：バックル，１５：締付バンド部，Ｈ：使用者，Ｈｈ：手，Ｒｒ：所定角度，Ｆｓ：傾斜面，Ｆｒ：湾曲面
【図１】
0006792771.tif 000002
【図２】
0006792771.tif 000003
【図３】
0006792771.tif 000004
【図４】
0006792771.tif 000005
【図５】
0006792771.tif 000006
【図６】
0006792771.tif 000007
【図７】
0006792771.tif 000008
【図８】
0006792771.tif 000009
【図９】
0006792771.tif 000010
【図１０】
0006792771.tif 000011
【図１１】
0006792771.tif 000012